(57)【要約】【課題】  アンテナ特性を安定させることができるアンテナ装置およびそれを備えた時計を提供する。【解決手段】  合成樹脂製のケース本体８と、このケース本体８の上部に設けられ、電波を受信する金属製の外装アンテナ部材９と、この外装アンテナ部材９の近傍に設けられたスイッチ釦５と、を備え、外装アンテナ部材９とスイッチ釦５の金属製の筒状部材１４との間隔を、容量結合が弱くなる長さに設定した。従って、スイッチ釦５の金属製の筒状部材１４が外装アンテナ部材９に接近して設けられていても、外装アンテナ部材９と筒状部材１４との間隔を、容量結合が弱くなる長さに設定していることにより、外装アンテナ部材９と金属製の筒状部材１４との間隔のバラツキによって発生するアンテナ効率のバラツキを軽減して、アンテナ特性を安定させることができる。【選択図】        図２
2019066401.tif 000002
【特許請求の範囲】
【請求項１】
合成樹脂製のケース本体と、
前記ケース本体の上部に設けられ、電波を受信する金属製の外装アンテナ部材と、
前記外装アンテナ部材の近傍に設けられた金属部品と、
を備え、
前記外装アンテナ部材と前記金属部品との間隔を、容量結合が弱くなる長さに設定したことを特徴とするアンテナ装置。
【請求項２】
請求項１に記載のアンテナ装置において、前記外装アンテナ部材と前記金属部品との前記間隔は、前記電波の共振周波数の変化量が小さいときの長さを基準値として設定されていることを特徴とするアンテナ装置。
【請求項３】
請求項２に記載のアンテナ装置において、前記外装アンテナ部材と前記金属部品との前記間隔は、前記基準値の長さに対して所定の振れ幅を持った長さに設定されていることを特徴とするアンテナ装置。
【請求項４】
請求項３に記載のアンテナ装置において、前記基準値の長さに対して前記所定の振れ幅を持った長さは、前記ケース本体に対する前記外装アンテナ部材と前記ケース本体に対する前記金属部品とにおける両方の寸法公差の範囲に設定されていることを特徴とするアンテナ装置。
【請求項５】
請求項１〜請求項４のいずれかに記載のアンテナ装置において、前記金属部品は、前記ケース本体の側部に設けられて、金属部を備えたスイッチ釦であることを特徴とするアンテナ装置。
【請求項６】
請求項５に記載のアンテナ装置において、前記スイッチ釦の操作方向における前記外装アンテナ部材と前記スイッチ釦の前記金属部との間の距離は、前記スイッチ釦の外周方向における前記外装アンテナ部材と前記スイッチ釦の前記金属部との間の距離よりも短く設定されていることを特徴とするアンテナ装置。
【請求項７】
請求項１〜請求項６のいずれかに記載されたアンテナ装置を備え、前記ケース本体の下部に設けられた裏蓋と、前記ケース本体の貫通孔に嵌め込まれた金属部を含むスイッチ釦と、前記ケース本体の上部に、ガラスが設けられた前記外装アンテナ部材と、を備えていることを特徴とする時計。
【発明の詳細な説明】
【技術分野】
【０００１】
この発明は、腕時計などの電子機器に用いられるアンテナ装置およびそれを備えた時計に関する。
【背景技術】
【０００２】
例えば、腕時計においては、特許文献１に記載されているように、合成樹脂製のケース本体の上部に合成樹脂製の外装部材を設け、ケース本体の内部にアンテナを設けた構造のものが知られている。
【先行技術文献】
【特許文献】
【０００３】
【特許文献１】特開２０１５−１８４０９０号公報
【０００４】
このような腕時計では、ケース本体の上部開口部に時計ガラスが嵌め込まれた際のケース本体の変形を抑えるために、金属製の補強部材をグランド電位と非導通状態でケース本体に埋め込んで、アンテナが電波を受信する際に、アンテナの電波受信に対する補強部材による影響を軽減しているが、電波受信に対する補強部材による影響を完全に払拭することができない。
【発明の概要】
【発明が解決しようとする課題】
【０００５】
そこで、このような腕時計においては、合成樹脂製のケース本体の上部に電波を受信する金属製の外装アンテナ部材を設けたものが開発されている。
【０００６】
しかしながら、このような腕時計では、ケース本体に金属部品を備えたスイッチ釦が外装アンテナ部材に接近して配置されている場合、電波を受信する金属製の外装アンテナ部材とスイッチ釦の金属部品との間隔がアンテナ特性に影響するという問題がある。
【０００７】
この発明が解決しようとする課題は、アンテナ特性を安定させることができるアンテナ装置およびそれを備えた時計を提供することである。
【課題を解決するための手段】
【０００８】
この発明は、合成樹脂製のケース本体と、前記ケース本体の上部に設けられ、電波を受信する金属製の外装アンテナ部材と、前記外装アンテナ部材の近傍に設けられた金属部品と、を備え、前記外装アンテナ部材と前記金属部品との間隔を、容量結合が弱くなる長さに設定したことを特徴とするアンテナ装置である。
【発明の効果】
【０００９】
この発明によれば、アンテナ特性を安定させることができる。
【図面の簡単な説明】
【００１０】
【図１】この発明を腕時計に適用した一実施形態を示した拡大正面図である。
【図２】図１に示された腕時計のＡ−Ａ矢視における要部を示した拡大断面図である。
【発明を実施するための形態】
【００１１】
以下、図１および図２を参照して、この発明を腕時計に適用した一実施形態について説明する。
この腕時計は、図１および図２に示すように、腕時計ケース１を備えている。この腕時計ケース１の上部開口部には、時計ガラス２がガラスパッキン２ａを介して設けられている。この腕時計ケース１の下部には、裏蓋３が防水パッキン３ａを介して取り付けられている。
【００１２】
この腕時計ケース１の１２時側と６時側との各側部には、図１に示すように、時計バンド（図示せず）が取り付けられるバンド取付部４が設けられている。また、この腕時計ケース１の３時側の側部には、スイッチ釦５が設けられている。この腕時計ケース１の内部には、図２に示すように、時計モジュール６が設けられている。
【００１３】
この時計モジュール６は、指針を運針させて時刻を指示する時計ムーブメント、時刻などの情報を電気光学的に表示する表示部（いずれも図示せず）、これらを電気的に制御して駆動するための回路基板７（図２参照）などの時計機能に必要な各種の電子部品を備えている。
【００１４】
ところで、腕時計ケース１は、図２に示すように、硬質の合成樹脂製のケース本体８と、電波を受信する金属製の外装アンテナ部材９と、を備えている。ケース本体８は、ほぼ円形のリング状に形成されている。このケース本体８の側部には、スイッチ釦５が設けられている。また、このケース本体８の内部には、時計モジュール６が設けられている。
【００１５】
外装アンテナ部材９は、高周波（例えば１５７５．４２ＭＨｚ）の電波を受信するＧＰＳ用のアンテナであり、図１および図２に示すように、ケース本体８とほぼ同じ形状のリング状に形成され、時計のベゼルとしても機能し、ケース本体８の上部に防水リング８ａを介して複数のねじ９ａによって取り付けられている。この外装アンテナ部材９の内部には、時計ガラス２がガラスパッキン２ａを介して取り付けている。
【００１６】
この外装アンテナ部材９は、図１および図２に示すように、時計モジュール６の回路基板７に搭載された受信回路部１１と端子等により電気的に接続されている。これにより、外装アンテナ部材９と回路基板７の受信回路部１１とによって、アンテナ装置が構成されている。
【００１７】
一方、スイッチ釦５は、図２に示すように、操作軸１２と釦部１３とを備え、これらが金属によって一体に形成されて、ケース本体８の貫通孔１０に嵌め込まれた金属製の筒状部材１４内に配置されている。筒状部材１４は、ケース本体８の貫通孔１０の小径孔部１０ａに嵌め込まれる小径部１４ａと、貫通孔１０の大径孔部１０ｂに嵌め込まれる中径部１４ｂと、ケース本体８の外部に突出して配置される大径部１４ｃと、を備えている。
【００１８】
この筒状部材１４の小径部１４ａは、図２に示すように、外径が貫通孔１０の小径孔部１０ａの内径と同じ大きさで、軸方向の長さがケース本体８の貫通孔１０の軸方向の長さのほぼ半分の長さに形成されている。中径部１４ｂは、その外径が貫通孔１０の大径孔部１０ｂの内径と同じ大きさで、内径が小径部１４ａの内径と同じ大きさに形成されている。
【００１９】
また、この中径部１４ｂは、図２に示すように、軸方向の長さがケース本体８の貫通孔１０の軸方向の長さよりも短く、かつ貫通孔１０の軸方向の長さのほぼ半分の長さよりも長く形成されている。このため、小径部１４ａは、ケース本体８の貫通孔１０に中径部１４ｂと共に嵌め込まれて大径部１４ｃがケース本体８の外面に当接した際に、内端部がケース本体８内に突出するように構成されている。
【００２０】
この場合、この小径部１４ａは、図２に示すように、ケース本体８内に突出した内端部にＥリングなどの第１抜止め部１５が取り付けられている。この第１抜止め部１５は、ケース本体８の内面に当接して筒状部材１４がケース本体８の外部に抜け出さないように構成されている。
【００２１】
また、この中径部１４ｂの外周面には、図２に示すように、複数の第１防水リング１６が取り付けられている。これら複数の第１防水リング１６は、その各外周部がケース本体８の貫通孔１０の内周面に圧接することにより、中径部１４ｂの外周面と貫通孔１０の内周面との間の防水を図っている。
【００２２】
大径部１４ｃは、図２に示すように、外径がケース本体８の上下方向の長さとほぼ同じ大きさで、外周部の上部が外装アンテナ部材９に設けられた後述する食込み部２０に食い込んだ状態で配置されている。また、この大径部１４ｃは、軸方向の長さがケース本体８の貫通孔１０の軸方向の長さとほぼ同じ長さに形成されている。
【００２３】
一方、操作軸１２は、図２に示すように、筒状部材１４内にスライド可能に配置されている。この操作軸１２は、外径が筒状部材１４の小径部１４ａの内径と同じ大きさで、軸方向の長さが筒状部材１４の軸方向の長さよりも長く形成されている。この場合、操作軸１２は、内端部がケース本体８内に突出し、この突出した内端部に第２抜止め部１７が取り付けられ、この第２抜止め部１７が筒状部材１４の小径部１４ａの内端部に当接して筒状部材１４から抜け出さないように構成されている。
【００２４】
また、この操作軸１２の外周には、図２に示すように、複数の第２防水リング１８が取り付けられている。これら複数の第２防水リング１８は、その各外周部が筒状部材１４の小径部１４ａと中径部１４ｂとの各内周面に摺動可能な状態で圧接することにより、小径部１４ａと中径部１４ｂの内周面と操作軸１２の外周面との間の防水を図っている。
【００２５】
釦部１３は、図２に示すように、操作軸１２の外端部に一体に設けられて、筒状部材１４の大径部１４ｃ内にスライド可能に配置されている。この釦部１３は、その外径が大径部１４ｃの内径とほぼ同じ大きさで、軸方向の長さが大径部１４ｃの軸方向の長さとほぼ同じ長さに形成されている。
【００２６】
この場合、釦部１３の内部には、図２に示すように、円筒部１３ａが操作軸１２と同心円状に設けられている。この円筒部１３ａは、外径が筒状部材１４の中径部１４ｂの外径ほぼ同じ大きさで、内径が小径部１４ａの外径とほぼ同じ大きさに形成されている。
【００２７】
また、操作軸１２の外周には、図２に示すように、コイルばね１９が配置されている。このコイルばね１９は、釦部１３をケース本体８の外部に向けて押し出す方向に付勢するものであり、内端部が中径部１４ｂの外端部に弾接し、外端部が円筒部１３ａの内端部に弾接し、この状態で釦部１３をケース本体８の外部に向けて押し出すように構成されている。
【００２８】
これにより、スイッチ釦５は、図２に示すように、通常の状態のときに、コイルばね１９のばね力によって釦部１３が操作軸１２と共にケース本体８の外部に押し出され、操作軸１２の内端部に取り付けられた第２抜止め部１７が筒状部材１４の小径部１４ａの内端部に当接するように構成されている。この状態では、操作軸１２は、内端部が時計モジュール６のスイッチ接点部６ａから離れて、スイッチ接点部６ａをオフ状態にする。
【００２９】
また、このスイッチ釦５は、図２に示すように、釦部１３がコイルばね１９のばね力に抗して筒状部材１４の大径部１４ｃ内に押し込まれた際に、操作軸１２の第２抜止め部１７が筒状部材１４の小径部１４ａの内端部から離れて、時計モジュール６のスイッチ接点部６ａに押し当てられて、スイッチ接点部６ａをオン動作させるように構成されている。
【００３０】
ところで、金属製の外装アンテナ部材９の外周における下部には、図２に示すように、金属製の筒状部材１４における大径部１４ｃの上部が食い込む食込み部２０が設けられている。この食込み部２０は、大径部１４ｃとの間に隙間を持って、大径部１４ｃの上部が配置される切欠き部である。
【００３１】
この食込み部２０は、図２に示すように、ケース本体８側に位置する大径部１４ｃの上部における内端面に対面する内面２０ａと、大径部１４ｃの外周面に対面する上面２０ｂと、を備えている。この食込み部２０における金属製の外装アンテナ部材９と金属製の筒状部材１４との間隔は、容量結合が弱くなる長さに設定されている。
【００３２】
この場合、容量結合の容量は、面積に比例し、距離に反比例する。また、結合インピーダンスは、容量に反比例し、かつ周波数にも反比例する。このため、食込み部２０における金属製の外装アンテナ部材９と金属製の筒状部材１４との間隔は、その間隔に応じて発生する高周波の共振周波数における変化量が小さいときの長さ、つまり共振周波数の変化量が小さく安定しているときの長さを基準値として、設定されている。
【００３３】
つまり、外装アンテナ部材９金属製の筒状部材１４との間隔に応じて発生する高周波の共振周波数は、外装アンテナ部材９と筒状部材１４との間隔が狭いと、共振周波数の変化量が大きく、外装アンテナ部材９と筒状部材１４との間隔が広くなるに従って次第に共振周波数の変化量が小さくなり、外装アンテナ部材９と筒状部材１４との間隔が０．５ｍｍ〜０．７ｍｍの範囲のときに、変化量が小さく安定する特性がある。
【００３４】
このため、外装アンテナ部材９と筒状部材１４との間隔は、その間隔に応じて発生する共振周波数の変化量が小さいときの長さ、つまり共振周波数の変化量が安定しているときの長さ、例えば０．５ｍｍ〜０．７ｍｍの範囲の長さであることが望ましい。また、外装アンテナ部材９と筒状部材１４との間隔は、共振周波数の変化量が小さく安定しているときの長さを基準値として、その基準値の長さに対して所定の振れ幅を持った長さに設定されている。
【００３５】
この場合、ケース本体８に対する外装アンテナ部材９の取付寸法とケース本体８に対する筒状部材１４の取付寸法とには、公差がある。このため、外装アンテナ部材９と筒状部材１４との間隔は、０．５ｍｍ〜０．７ｍｍの範囲の長さを基準値として、所定の振れ幅、つまり寸法公差の振れ幅を持った長さに設定されていることが望ましい。
【００３６】
すなわち、基準値の長さに対して所定の振れ幅を持った長さは、ケース本体８に対する外装アンテナ部材９の取付寸法と、ケース本体８に対する筒状部材１４の取付寸法とにおける両方の寸法公差の範囲が、例えば約±０．３ｍｍの範囲である場合、０．４ｍｍ〜１．０ｍｍの範囲に設定されていることが望ましい。
【００３７】
この場合、スイッチ釦５の操作方向における外装アンテナ部材９とスイッチ釦５の筒状部材１４との間の距離、つまり外装アンテナ部材９の食込み部２０の内面２０ａとこれに対面する大径部１４ｃの内端面との間隔Ｓ１は、図２に示すように、スイッチ釦５の外周方向における外装アンテナ部材９とスイッチ釦５の筒状部材１４との間の距離、つまり外装アンテナ部材９の食込み部２０の内面２０ａとこれに対面する大径部１４ｃの外周面との間隔Ｓ２よりも短く（Ｓ１＜Ｓ２）設定されている。
【００３８】
次に、このような腕時計の作用について説明する。
この腕時計では、腕時計ケース１が合成樹脂製のケース本体８とこのケース本体８の上部に設けられた金属製の外装アンテナ部材９とで構成されているので、この外装アンテナ部材９によって電波を良好に受信することができる。
【００３９】
この場合、ケース本体８の側部には、スイッチ釦５が設けられ、このスイッチ釦５をケース本体８に対して取り付けるための金属製の筒状部材１４が外装アンテナ部材９に接近して設けられていても、外装アンテナ部材９と筒状部材１４との間隔が、容量結合を弱くする長さに設定されていることにより、外装アンテナ部材９と筒状部材１４との間隔のバラツキによって発生するアンテナ効率のバラツキが軽減されて、外装アンテナ部材９のアンテナ特性が安定する。
【００４０】
すなわち、外装アンテナ部材９と筒状部材１４との間隔に応じて発生する高周波の共振周波数は、外装アンテナ部材９と筒状部材１４との間隔が狭いと、共振周波数の変化量が大きく、外装アンテナ部材９と筒状部材１４との間隔が広くなるに従って次第に共振周波数の変化量が小さくなり、外装アンテナ部材９と筒状部材１４との間隔が０．５ｍｍ〜０．７ｍｍの範囲のときに、変化量が小さく安定する特性がある。
【００４１】
このため、金属製の外装アンテナ部材９の食込み部２０とこの食込み部２０に食込む金属製の筒状部材１４との間隔は、その間隔によって発生する共振周波数の変化量が小さく安定しているときの長さを基準値とする範囲で、例えば０．５ｍｍ〜０．７ｍｍの範囲に設定されていることにより、外装アンテナ部材９と筒状部材１４との間隔のバラツキによって発生するアンテナ効率のバラツキが軽減されて、外装アンテナ部材９のアンテナ特性が安定する。
【００４２】
すなわち、金属製の外装アンテナ部材９の食込み部２０とこの食込み部２０に食込む金属製の筒状部材１４との間隔は、その間隔によって発生する共振周波数の変化量が小さく安定化しているときの長さを基準値として設定されていることにより、外装アンテナ部材９のアンテナ効率のバラツキが抑えられ、アンテナ特性が安定する。
【００４３】
このため、外装アンテナ部材９が電波を受信する際には、金属製の外装アンテナ部材９の食込み部２０とこの食込み部２０に食込む金属製の筒状部材１４との間に設けられた間隔にバラツキがあっても、外装アンテナ部材９のアンテナ効率のバラツキが抑えられ、アンテナ特性が安定し、外装アンテナ部材９で電波を良好に受信できる。
【００４４】
また、金属製の外装アンテナ部材９の食込み部２０とこの食込み部２０に食込む金属製の筒状部材１４との間隔は、基準値の長さに対して所定の振れ幅、例えば約±０．３ｍｍの範囲の振れ幅を持った長さ、例えば０．４ｍｍ〜１．０ｍｍの範囲に設定されていることにより、外装アンテナ部材９と筒状部材１４との間隔のバラツキによって発生するアンテナ効率のバラツキが確実に防げるので、より一層、アンテナ特性が安定する。
【００４５】
この場合、外装アンテナ部材９と筒状部材１４とは、ケース本体８に対する外装アンテナ部材９の取付寸法とケース本体８に対する筒状部材１４の取付寸法とに公差があるため、０．５ｍｍ〜０．７ｍｍの範囲の長さを基準値として、所定の振れ幅つまり寸法公差の振れ幅を持った長さに設定されていることにより、外装アンテナ部材９のアンテナ特性が更に安定する。
【００４６】
このため、外装アンテナ部材９の食込み部２０とこの食込み部２０に食込む金属製の筒状部材１４との間隔が、寸法公差によって変動しても、外装アンテナ部材９と筒状部材１４との間隔の変動によって発生するアンテナ効率のバラツキが確実に抑えられ、外装アンテナ部材９のアンテナ特性を安定させて、外装アンテナ部材９で電波を良好に受信することができる。
【００４７】
この場合、スイッチ釦５の操作方向における外装アンテナ部材９とスイッチ釦５の筒状部材１４との間の距離が、スイッチ釦５の外周方向における外装アンテナ部材９とスイッチ釦５の筒状部材１４との間の距離よりも短く設定されていることにより、これによっても外装アンテナ部材９のアンテナ効率のバラツキが抑えられて、外装アンテナ部材９のアンテナ特性が安定する。
【００４８】
すなわち、外装アンテナ部材９の食込み部２０の内面２０ａとこれに対面する大径部１４ｃの内端面との間隔Ｓ１は、外装アンテナ部材９の食込み部２０の内面２０ａとこれに対面する大径部１４ｃの外周面との間隔Ｓ２よりも短く（Ｓ１＜Ｓ２）設定されていることにより、外装アンテナ部材９のアンテナ効率のバラツキが抑えられて、外装アンテナ部材９のアンテナ特性が安定する。
【００４９】
このように、この腕時計によれば、合成樹脂製のケース本体８と、このケース本体８の上部に設けられ、電波を受信する金属製の外装アンテナ部材９と、この外装アンテナ部材９の近傍に設けられたスイッチ釦５と、を備え、外装アンテナ部材９とスイッチ釦５の金属製の筒状部材１４との間隔を、容量結合が弱くなる長さに設定したことにより、外装アンテナ部材９のアンテナ特性を安定させることができる。
【００５０】
すなわち、この腕時計では、スイッチ釦５の金属製の筒状部材１４が外装アンテナ部材９に接近して設けられていても、外装アンテナ部材９と筒状部材１４との間隔を、容量結合が弱くなる長さに設定されていることにより、外装アンテナ部材９と筒状部材１４との間隔のバラツキによって発生するアンテナ効率のバラツキを軽減することができるので、外装アンテナ部材９のアンテナ特性を安定させることができる。
【００５１】
この場合、この腕時計では、外装アンテナ部材９と筒状部材１４との間隔が、その間隔に応じて発生する共振周波数の変化量が小さく安定しているときの長さを基準値として設定されていることにより、外装アンテナ部材９と筒状部材１４との間隔のバラツキによって発生するアンテナ効率のバラツキを良好に軽減することができるので、アンテナ特性を安定させることができる。
【００５２】
また、この腕時計では、外装アンテナ部材９と筒状部材１４との間隔に応じて発生する共振周波数の変化量が小さいときの長さを基準値として、この基準値の長さに対して所定の振れ幅を持った長さに設定されていることにより、外装アンテナ部材９と筒状部材１４との間隔のバラツキによって発生するアンテナ効率のバラツキを確実に防ぐことができるので、より一層、アンテナ特性を安定させることができる。
【００５３】
この場合、この腕時計では、外装アンテナ部材９と筒状部材１４との間隔に応じて発生する共振周波数の変化量が小さく安定しているときの長さを基準値として、この基準値の長さに対して更に所定の振れ幅を持った長さが、ケース本体８に対する外装アンテナ部材９とケース本体８に対する筒状部材１４とにおける両方の寸法公差の範囲に設定されていることにより、外装アンテナ部材９と筒状部材１４との間隔が寸法公差によって変動しても、アンテナ特性を安定させることができる。
【００５４】
すなわち、この腕時計では、ケース本体８に対する外装アンテナ部材９の取付寸法とケース本体８に対する筒状部材１４の取付寸法とに公差があり、その寸法公差によって外装アンテナ部材９と筒状部材１４との間隔が変動しても、外装アンテナ部材９のアンテナ効率のバラツキを確実に防ぐことができるので、アンテナ特性を安定させることができ、これにより外装アンテナ部材９で電波を良好に受信することができる。
【００５５】
さらに、この腕時計では、スイッチ釦５の操作方向における外装アンテナ部材９とスイッチ釦５の筒状部材１４との間の距離が、スイッチ釦５の外周方向における外装アンテナ部材９とスイッチ釦５の筒状部材１４との間の距離よりも短く設定されていることにより、これによってもアンテナ効率のバラツキを抑えて、外装アンテナ部材９のアンテナ特性を安定させることができる。
【００５６】
すなわち、この腕時計では、外装アンテナ部材９の食込み部２０の内面２０ａとこれに対面する大径部１４ｃの内端面との間隔Ｓ１が、外装アンテナ部材９の食込み部２０の内面２０ａとこれに対面する大径部１４ｃの外周面との間隔Ｓ２よりも短く（Ｓ１＜Ｓ２）設定されていることにより、アンテナ効率のバラツキを抑えることができるので、外装アンテナ部材９のアンテナ特性を安定させることができる。
【００５７】
このため、この腕時計では、スイッチ釦５が取り付けられる金属製の筒状部材１４と外装アンテナ部材９との間隔を確保することにより、筒状部材１４の大径部１４ｃを大きく形成して、スイッチ釦５の釦部１３を大きく形成することができるので、スイッチ釦５の大型化をはかることができる。
【００５８】
また、この腕時計では、筒状部材１４と外装アンテナ部材９との間隔を確保することにより、ケース本体８を小さく形成して外装アンテナ部材９を小さく形成することができるので、ケース全体の小型化を図ることができる。
【００５９】
なお、上述した実施形態では、腕時計ケース１の３時側の側部にスイッチ釦５を設けた場合について述べたが、この発明は、これに限らず、２時側、４時側、８時側、９時側、１０時側の複数箇所にスイッチ釦５を設けても良い。
【００６０】
また、上述した実施形態では、ケース本体８の側部に設けられた金属製の筒状部材１４にスイッチ釦５を設けた場合について述べたが、この発明は、これに限らず、例えば筒状部材１４を用いずに、直接、スイッチ釦５の操作軸１２をケース本体８に設けた構成であっても良い。この場合には、外装アンテナ部材９とスイッチ釦５の釦部１３との間隔を上述したような間隔に設定すれば良い。
【００６１】
また、食込み部２０は、金属製の筒状部材１４などの金属部品を削ることで、外装アンテナ部材９との間隔を設定するようにしても良い。
【００６２】
また、上述した実施形態では、外装アンテナ部材９は、ケース本体８の上部に露出して設けられているが、外装アンテナ部材９を覆うウレタン等の外装部材をさらに設けても良く、また、外装アンテナ部材９が合成樹脂製のケース本体や合成樹脂製の外装部材にインサート成形され、露出していなくても良い。この場合でも、外装アンテナ部材９と金属部品との間隔を上述したような間隔に設定すれば良い。
【００６３】
また、上述した実施形態では、腕時計ケース１の側部に金属製の筒状部材１４を備えたスイッチ釦５を設けた場合について述べたが、この発明は、必ずしもスイッチ釦５である必要はなく、例えば圧力センサ、温度センサなどの腕時計ケース１の外部環境を検出するための金属部品を備えたセンサであっても良い。
【００６４】
さらに、上述した実施形態では、腕時計に適用した場合について述べたが、この発明は、必ずしも腕時計である必要はなく、例えばトラベルウオッチ、目覚まし時計、置き時計、掛け時計などの各種の時計に適用することができる。また、この発明は、必ずしも時計である必要はなく、携帯電話機、携帯端末などの各種の電子機器に広く適用することができる。
【００６５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６６】
（付記）
請求項１に記載の発明は、合成樹脂製のケース本体と、前記ケース本体の上部に設けられ、電波を受信する金属製の外装アンテナ部材と、前記外装アンテナ部材の近傍に設けられた金属部品と、を備え、前記外装アンテナ部材と前記金属部品との間隔を、容量結合が弱くなる長さに設定したことを特徴とするアンテナ装置である。
【００６７】
請求項２に記載の発明は、請求項１に記載のアンテナ装置において、前記外装アンテナ部材と前記金属部品との前記間隔は、前記電波の共振周波数の変化量が小さいときの長さを基準値として設定されていることを特徴とするアンテナ装置である。
【００６８】
請求項３に記載の発明は、請求項２に記載のアンテナ装置において、前記外装アンテナ部材と前記金属部品との前記間隔は、前記基準値の長さに対して所定の振れ幅を持った長さに設定されていることを特徴とするアンテナ装置である。
【００６９】
請求項４に記載の発明は、請求項３に記載のアンテナ装置において、前記基準値の長さに対して前記所定の振れ幅を持った長さは、前記ケース本体に対する前記外装アンテナ部材と前記ケース本体に対する前記金属部品とにおける両方の寸法公差の範囲に設定されていることを特徴とするアンテナ装置である。
【００７０】
請求項５に記載の発明は、請求項１〜請求項４のいずれかに記載のアンテナ装置において、前記金属部品は、前記ケース本体の側部に設けられて、金属部を備えたスイッチ釦であることを特徴とするアンテナ装置である。
【００７１】
請求項６に記載の発明は、請求項５に記載のアンテナ装置において、前記スイッチ釦の操作方向における前記外装アンテナ部材と前記スイッチ釦の前記金属部との間の距離は、前記スイッチ釦の外周方向における前記外装アンテナ部材と前記スイッチ釦の前記金属部との間の距離よりも短く設定されていることを特徴とするアンテナ装置である。
【００７２】
請求項７に記載の発明は、請求項１〜請求項６のいずれかに記載されたアンテナ装置を備え、前記ケース本体の下部に設けられた裏蓋と、前記ケース本体の貫通孔に嵌め込まれた金属部を含むスイッチ釦と、前記ケース本体の上部に、ガラスが設けられた前記外装アンテナ部材と、を備えていることを特徴とする時計である。
【符号の説明】
【００７３】
１  腕時計ケース
５  スイッチ釦
６  時計モジュール
７  回路基板
８  ケース本体
９  外装アンテナ部材
１０  貫通孔
１１  受信回路部
１２  操作軸
１３  釦部
１４  筒状部材
１４ａ  小径部
１４ｂ  中径部
１４ｃ  大径部
２０  食込み部
【図１】
2019066401.tif 000003
【図２】
2019066401.tif 000004